(57)【要約】      （修正有）【課題】新趣向性に富み、飾り形式を向上させた兜飾りセットを提供する。【解決手段】兜飾り台と、兜櫃と、芯台と、富久沙（ふくさ）と、飾り兜本体と、屏風体と、動物玩具と、野球用バットと野球用ボールとの組合せによって構成される飾り具を備え、飾り兜本体の吹返し部には、刺繍等によりプロ野球球団チームのマークおよび／または、マスコットキャラクターを表出し、富久沙（ふくさ）には、印刷等によりプロ野球球団チームのマークを表出し、屏風体の前面中央部位には、印刷等によりプロ野球球団のマークおよび／または、マスコットキャラクターを表出し、動物玩具をプロ野球球団のマスコット動物を表徴する意匠形態により作出し、飾り具の野球用ボールには、印刷等によりプロ野球球団チームのマスコットキャラクターを表出して成る。【選択図】図２
0003100964.tif 000002
【実用新案登録請求の範囲】
【請求項１】
適宜の構造を有する兜飾り台と、この飾り台面上に載置される兜櫃と、この兜櫃面上に立設配置される兜の飾り用芯台と、この芯台に被冠され、兜櫃の前面に垂れ下る富久沙（ふくさ）と、この富久沙（ふくさ）を被冠した芯台に載置される飾り兜本体と、前記兜飾り台の後方において取り外し自在に立設配置される屏風体と、前記兜櫃の前面左方位置に配置される動物玩具と、前記兜櫃の前面右方位置に配置される野球用バットと野球用ボールとの組合せによって構成される飾り具を備え、前記飾り兜本体の吹返し部には、刺繍等によりプロ野球球団チームのマークおよび／または、マスコットキャラクターを表出し、前記富久沙（ふくさ）には、印刷等によりプロ野球球団チームのマークを表出し、前記屏風体の前面中央部位には、印刷等によりプロ野球球団のマークおよび／または、マスコットキャラクターを表出し、前期動物玩具をプロ野球球団のマスコット動物を表徴する意匠形態により作出し、前記飾り具の野球用ボールには、印刷等によりプロ野球球団チームのマスコットキャラクターを表出して成ることを特徴とする兜飾りセット。
【考案の詳細な説明】
【考案の詳細な説明】
【技術分野】
【０００１】  本考案は、室内の床、座敷、床の間などに飾られる兜飾りセットに関するものである。
【背景技術】
【０００２】  男子が誕生すると、その子の無事な成長を願って、兜飾りセット（五月人形）が飾られる。【０００３】  従来の兜飾りセットは、例えば、飾り兜本体を中心に飾り、その左右に破魔弓、弓太刀などの付属用道具を飾るように構成されている。
【考案が解決しようとする課題】
【０００４】  しかし、前記従来のような兜飾りセットにあっては、その飾り形式が古色蒼然としていて新鮮味が無く、看る者に見飽きた印象を与えるばかりでなく、消費者の購買意欲を低下させることにつながる。そのため昨今は、多種、多様化した消費者のニーズに応えられる兜飾りセットの工夫が要求される。
【課題を解決するための手段】
【０００５】  本考案は、斯る現状に鑑みなされたもので、詳しくは、本考案は、適宜の構造を有する兜飾り台と、この飾り台面上に載置される兜櫃と、この兜櫃面上に立設配置される兜の飾り用芯台と、この芯台に被冠され、兜櫃の前面に垂れ下る富久沙（ふくさ）と、この富久沙（ふくさ）を被冠した芯台に載置される飾り兜本体と、前記兜飾り台の後方において取り外し自在に立設配置される屏風体と、前記兜櫃の前面左方位置に配置される動物玩具と、前記兜櫃の前面右方位置に配置される野球用バットと野球用ボールとの組合せによって構成される飾り具を備え、前記飾り兜本体の吹返し部には、刺繍等によりプロ野球球団チームのマークおよび／または、マスコットキャラクターを表出し、前記富久沙（ふくさ）には、印刷等によりプロ野球球団チームのマークを表出し、前記屏風体の前面中央部位には、印刷等によりプロ野球球団のマークおよび／または、マスコットキャラクターを表出し、前期動物玩具をプロ野球球団のマスコット動物を表徴する意匠形態により作出し、前記飾り具の野球用ボールには、印刷等によりプロ野球球団チームのマスコットキャラクターを表出して成ることを特徴とする兜飾リセットである。
【考案を実施するための最良の形態】
【０００６】  本考案の一実施形態を図１、図２に基づき説明する。【０００７】  本考案に係る兜飾りセット１は、適宜の構造を有する兜飾り台２と、この飾り台２面上に載置される兜櫃３と、この兜櫃３面上に立設配置される兜の飾り用芯台４と、この芯台４に被冠され、兜櫃３の前面に垂れ下る富久沙（ふくさ）５と、この富久沙（ふくさ）５を被冠した芯台４に載置される飾り兜本体６と、前記兜飾り台２の後方において取外し自在に立設配置される屏風体７と、前記兜櫃３の前面左方位置に配置される動物玩具８と、前記兜櫃３の前面右方位置に配置される野球用バット９と野球用ボール１０との組合せによって構成される飾り具１１を具備する。【０００８】  そして、前記飾り兜本体６の吹返し部１２には、刺繍等の手段によりプロ野球球団チームのマークおよび／または、マスコットキャラクター１３を表出し、前記富久沙（ふくさ）５には、印刷等の手段によりプロ野球球団チームのマーク１４を表出し、前期屏風体７の前面中央部位には、印刷等の手段によりプロ野球球団のマークおよび／または、マスコットキャラクター１５を表出し、更に、前記動物玩具８をプロ野球球団のマスコット動物を表徴する意匠形態により作出し、前記飾り具１１の野球用ボール１０には印刷等の手段によりプロ野球球団チームのマスコットキャラクター１６を表出する。【０００９】  前記動物玩具８の実施形態の一例として、図面上、首振り自在な虎の張り子を示している。【００１０】  前記飾り具１１は、三本の野球用バット９を結束して三本足の支柱１７を構成し、その交叉上部で野球用ボール１０を支承するように構成する。【００１１】  前記屏風体７自体は、前記兜飾り台２の後方面上より衝立形式をもって立設配置できるように構成される。また、屏風体７には、プロ野球球団のマークおよび／または、マスコットキャラクター１６以外に適宜模様（図示しない。）が施される。【００１２】  前記兜の飾り用芯台４は、支柱１８の上端に兜載台１９を設け、支柱１８の下端に置台２０が設けられている。【００１３】  尚、前記マークおよび／またはマスコットキャラクター１３、１４、１５、１６等の表出に当っては、例えば、阪神タイガース球団のマーク、マスコットキャラクターとして知られる『虎』の図柄および『虎』の縞模様等を実施適用することができる。また、その表出に当っては、他球団のマスコットキャラクター等を表出することも可能である。
なお、阪神タイガース球団では、当該球団のマーク、マスコットキャラクターを本出願会社が兜飾りセット等に独占使用することについての、使用許諾権を本出願人会社に供与している。そのため、本考案の請求項記載の考案思想には、当該球団のマーク、マスコットキャラクターの使用が含まれる。
【考案の効果】
【００１４】  本考案は、以上説明したような形態で実施され、以下に記載されるような効果を奏する。
【００１５】  飾り兜本体の吹返し部に表出しされるプロ野球球団チームのマスコットキャラクターそれ自体の装飾効果と、屏風体の前面中央部位に表出されたプロ野球球団チームのマスコットキャラクターそれ自体の装飾効果及び富久沙（ふくさ）に表出されるプロ野球球団のマーク等との相乗効果によって、五月節句飾りとしての兜飾りセットに変化を与えかつ、看者に対して新鮮な印象を与え、しかも、従来の兜飾りセットに比し、見映えが向上し、一段と豪華に富む兜飾りセットを提供することができると共に、前記のマークやマスコットキャラクターの存在によって看者の注目を強く引きつける効果のある兜飾りセットを構成することができる。また、不要時には飾り兜本体、屏風等を兜櫃に収納、保管できて便利である。更に、プロ野球のファンなどにとって本考案品は格好のギフト商品、愛蔵品となり得るため、兜飾りセットの商品付加価値が高まる等の効果を発揮する。
【図面の簡単な説明】
【図１】  本考案に係る兜飾りセットの組立分解図である。
【図２】  セット状態を示す斜視図である。
【符号の説明】
１    兜飾りセット
２    兜飾り台
３    兜櫃
４    芯台
５    富久沙（ふくさ）
６    飾り兜本体
７    屏風体
８    動物玩具
９    野球用バット
１０    野球用ボール
１１    飾り具
１２    飾り兜本体の吹返し部
１３    マークおよび／または、マスコットキャラクター
１４    マーク
１５    マークおよび／または、マスコットキャラクター
１６    マスコットキャラクター
１７    支柱
１８    支柱
１９    兜載台
２０    置台
【図１】
0003100964.tif 000003
【図２】
0003100964.tif 000004